(57)【要約】【課題】効果的に洗浄効果を高めることのできる洗濯機を提供すること。【解決手段】洗い行程において、給水弁１０を駆動して、第１の給水経路から洗濯物を投入した洗濯兼脱水槽４内に給水し、水のみで洗い攪拌を行う第１の洗い行程を行った後に、給水弁１０と洗剤投入装置１１を駆動して、第２の給水経路から洗濯兼脱水槽４内に水と洗剤を供給して洗い攪拌を行う第２の洗い行程を行う構成とすることにより、洗濯物にしつこい汚れが付着した洗濯物が混ざっていても、確実に汚れを落としてしまい、洗浄性能を大きく向上させることができる。【選択図】図１
2020168345.tif 000002
【特許請求の範囲】
【請求項１】
本体と、前記本体内に支持された水槽と、前記水槽に回転自在に内包された洗濯兼脱水槽と、前記本体上部に配設された上部枠体と、前記上部枠体に配設され前記洗濯兼脱水槽内に給水する複数の水路が開閉可能な複数弁構成の給水弁と、洗剤を収容する洗剤投入装置と、前記給水弁の一方の弁に接続された第１の給水経路と、前記給水弁の他方の弁に接続され経路上に前記洗剤投入装置を設けた第２の給水経路と、前記給水弁、洗剤投入装置等を制御する制御手段とを備え、前記制御手段は、洗い行程において、前記給水弁を駆動して、前記第１の給水経路から洗濯物を投入した前記洗濯兼脱水槽内に給水し、水のみで洗い攪拌を行う第１の洗い行程を行った後に、前記給水弁から前記洗剤投入装置を経由して、前記第２の給水経路から前記洗濯兼脱水槽内に水と洗剤を供給して洗い攪拌を行う第２の洗い行程を行う、洗濯機。
【請求項２】
前記水槽内の水を温めるためのヒータをさらに備え、前記制御手段は、前記洗い行程において、前記給水弁を駆動して、前記第１の給水経路から洗濯物を投入した前記洗濯兼脱水槽内に給水し、水のみで洗い攪拌を行う前記第１の洗い行程を行った後に、前記給水弁から前記洗剤投入装置を経由して前記第２の給水経路から前記洗濯兼脱水槽内に供給した水と洗剤の混合液を前記ヒータで加熱し、前記混合液が所定温度に到達後に洗い攪拌を行う前記第２の洗い行程を行う、請求項１に記載の洗濯機。
【請求項３】
前記第１の洗い行程における洗い攪拌の時間は、８分から１２分の間の値に設定されている、請求項１または２に記載の洗濯機。
【請求項４】
前記第２の洗い行程における洗い攪拌の時間は、前記第１の洗い行程における洗い攪拌の時間よりも長くなるように設定されている、請求項１〜３のいずれか一項に記載の洗濯機。
【発明の詳細な説明】
【技術分野】
【０００１】
本発明は、洗濯行程を行う洗濯機に関するものである。
【背景技術】
【０００２】
従来、この種の洗濯機は、洗い行程において、衣類と洗剤を入れた水槽内に水を溜めてから洗い行程を行なう方式が提案されてきた（例えば、特許文献１参照）。
【０００３】
図５は、特許文献１に記載された従来の洗濯機の縦断面図である。
【０００４】
図５において、本体３１内に、水槽３５がサスペンション３６によって垂下防振支持されている。水槽３５には、洗濯兼脱水槽４０が回転自在に内包されており、洗濯兼脱水槽４０の内底面には攪拌用のパルセータ４２が回転自在に配設されている。
【０００５】
モータ３８は、ベルト４５および伝達機構部３９を介して、洗濯兼脱水槽４０またはパルセータ４２を回転駆動する。
【０００６】
水槽３５の底部には排水弁４３が配設されており、排水弁４３の開閉により水槽３５内の水を、排水ホース４４を介して機外へ排水する。
【０００７】
また、本体３１上方後部には、洗濯兼脱水槽４０内に給水する給水弁４６が配設されている。
【０００８】
また、本体３１上方前部には、制御手段３４が配設され、制御手段３４によって、モータ３８、給水弁４６、排水弁４３などを制御して、洗い、すすぎ、脱水の一連の行程を逐次制御する構成となっている。
【０００９】
上記構成において、洗い行程で衣類を洗う場合、洗濯兼脱水槽４０に衣類と所定量の洗剤を投入した後、運転を開始すると、制御手段３４は給水弁４６を制御して洗濯兼脱水槽４０内に所定量の水を給水し、その後、モータ３８を制御してパルセータ４２を駆動して洗い攪拌を行う。洗い攪拌が終わると、排水弁４３を駆動して排水を行い、次のすすぎ行程へと移行する。
【先行技術文献】
【特許文献】
【００１０】
【特許文献１】特開平３−１２８０９４号公報
【発明の概要】
【発明が解決しようとする課題】
【００１１】
しかしながら、前記従来の構成では、洗い攪拌を１回行うだけであり、しつこい汚れが付着した衣類が混ざった洗濯物では、洗濯後にその汚れが残るという課題があった。
【００１２】
本発明は、上記従来の課題を解決するもので、洗い行程を適切に行うことで、しつこい汚れが付着した洗濯物が混ざっていても、汚れを落として、洗浄性能を向上させる洗濯機を提供することを目的としている。
【課題を解決するための手段】
【００１３】
前記従来の課題を解決するために、本発明の洗濯機は、本体と、前記本体内に支持され
た水槽と、前記水槽に回転自在に内包された洗濯兼脱水槽と、前記本体上部に配設された上部枠体と、前記上部枠体に配設され前記洗濯兼脱水槽内に給水する複数の水路が開閉可能な複数弁構成の給水弁と、洗剤を収容する洗剤投入装置と、前記給水弁の一方の弁に接続された第１の給水経路と、前記給水弁の他方の弁に接続され経路上に前記洗剤投入装置を設けた第２の給水経路と、前記給水弁、洗剤投入装置等を制御する制御手段とを備え、前記制御手段は、洗い行程において、前記給水弁を駆動して、前記第１の給水経路から洗濯物を投入した前記洗濯兼脱水槽内に給水し、水のみで洗い攪拌を行う第１の洗い行程を行った後に、前記給水弁から前記洗剤投入装置を経由して、前記第２の給水経路から前記洗濯兼脱水槽内に水と洗剤を供給して洗い攪拌を行う第２の洗い行程を行うものである。
【００１４】
これにより、洗濯物にしつこい汚れが付着した洗濯物が混ざっている場合でも、汚れを落とし、洗浄性能を向上させることができる。
【発明の効果】
【００１５】
本発明の洗濯機は、洗濯物にしつこい汚れが付着した洗濯物が混ざっている場合でも、汚れを落とし、洗浄性能を向上させることができる。
【図面の簡単な説明】
【００１６】
【図１】本発明の第１の実施の形態における洗濯機の縦断面図
【図２】同洗濯機の動作を示すフローチャート
【図３】同洗濯機の洗い攪拌の時間と洗濯物の不汚染度との関係を示す模式図
【図４】本発明の第２の実施の形態における洗濯機の動作を示すフローチャート
【図５】従来の洗濯機の側断面図
【発明を実施するための形態】
【００１７】
第１の発明は、本体と、前記本体内に支持された水槽と、前記水槽に回転自在に内包された洗濯兼脱水槽と、前記本体上部に配設された上部枠体と、前記上部枠体に配設され前記洗濯兼脱水槽内に給水する複数の水路が開閉可能な複数弁構成の給水弁と、洗剤を収容する洗剤投入装置と、前記給水弁の一方の弁に接続された第１の給水経路と、前記給水弁の他方の弁に接続され経路上に前記洗剤投入装置を設けた第２の給水経路と、前記給水弁、洗剤投入装置等を制御する制御手段とを備え、前記制御手段は、洗い行程において、前記給水弁を駆動して、前記第１の給水経路から洗濯物を投入した前記洗濯兼脱水槽内に給水し、水のみで洗い攪拌を行う第１の洗い行程を行った後に、前記給水弁から前記洗剤投入装置を経由して、前記第２の給水経路から前記洗濯兼脱水槽内に水と洗剤を供給して洗い攪拌を行う第２の洗い行程を行うものである。
【００１８】
これにより、洗濯物にしつこい汚れが付着した洗濯物が混ざっている場合でも、汚れを落とし、洗浄性能を向上させることができる。
【００１９】
第２の発明は、特に、第１の発明の洗濯機は、前記水槽内の水を温めるためのヒータをさらに備え、前記制御手段は、前記洗い行程において、前記給水弁を駆動して、前記第１の給水経路から洗濯物を投入した前記洗濯兼脱水槽内に給水し、水のみで洗い攪拌を行う前記第１の洗い行程を行った後に、前記給水弁から洗剤投入装置を経由して前記第２の給水経路から前記洗濯兼脱水槽内に供給した水と洗剤の混合液をヒータで加熱し、前記混合液が所定温度に到達後に洗い攪拌を行う前記第２の洗い行程を行うものであるので、洗濯物にしつこい汚れが付着した衣類が混ざっていても、確実に汚れを落とし、洗浄性能をさらに大きく向上させることができる。
【００２０】
第３の発明は、特に、第１または第２の発明の洗濯機は、前記第１の洗い行程における洗い攪拌の時間は、８分から１２分の間の値に設定されているものであるので、衣類の汚
れを落とす作用と、汚れが衣類に再付着することを抑制する作用の両方が得られるため、洗浄性能をさらに向上させることができる。
【００２１】
第４の発明は、特に、第１〜３のいずれか１つの発明の洗濯機は、前記第２の洗い行程における洗い攪拌の時間は、前記第１の洗い行程における洗い攪拌の時間よりも長くなるように設定されているものであるので、洗浄性能をさらに向上させることができる。
【００２２】
以下、発明の実施の形態について、図面を参照しながら説明する。なお、この実施の形態によって本発明が限定されるものではない。
【００２３】
（実施の形態１）
図１は、本発明の第１の実施の形態における洗濯機の縦断面図である。
【００２４】
図１において、本体１内に、水槽３がサスペンション２によって垂下防振支持されている。水槽３には、洗濯兼脱水槽４が回転自在に内包されており、洗濯兼脱水槽４の内底面には攪拌用のパルセータ６が回転自在に配設されている。
【００２５】
洗濯兼脱水槽４は、内壁に循環水路カバー５を有し、パルセータ６が回転することにより、循環水路１７を介して洗濯水を持ち上げ、循環水路カバー５上部の吐出口１８から洗濯兼脱水槽４内の洗濯物に向かって吐出する。
【００２６】
モータ８は、ベルト９および伝達機構部７を介して、洗濯兼脱水槽４またはパルセータ６を回転駆動する。伝達機構部７は、内部に洗濯時の減速ギアおよび洗濯・脱水の切り換えクラッチと脱水時のブレーキを内蔵している。
【００２７】
水槽３の底部には排水弁１４が配設されており、排水弁１４の開閉により水槽３内の水を、排水ホース１９を介して機外へ排水する。
【００２８】
また、本体１上部には、略中央部に洗濯物の投入や取り出しを行うための衣類投入口２１が形成された上部枠体２０が配設されており、衣類投入口２１を開閉自在に蓋２２が覆っている。
【００２９】
上部枠体２０には、後部に洗濯兼脱水槽４内に給水する給水弁１０が配設されている。
【００３０】
給水弁１０は、２個の水路が開閉可能な複数弁構成であり、給水弁１０には、第１の給水経路１２と第２の給水経路１３が接続されており、第２の給水経路１３の経路上には洗剤投入装置１１が設けられている。
【００３１】
洗剤投入装置１１は、洗剤を収容する洗剤収容部（図示せず）と必要量の洗剤を第２の給水経路１３の経路上に供給する洗剤ポンプ（図示せず）などで構成されている。
【００３２】
第１の給水経路１２は、給水弁１０の一方の弁を開いて水を洗濯兼脱水槽４内に直接供給するための経路であり、第２の給水経路１３は、給水弁１０の他方の弁を開いて水を給水し、その水と共に洗剤投入装置１１の洗剤ポンプで経路上に供給された洗剤を水で溶解させて一緒に洗濯兼脱水槽４内に供給するための経路である。
【００３３】
また、上部枠体２０の前面上部には、蓋２２を開けて、使用者が運転コースを選択したりする操作表示部２３が配設され、その操作表示部２３の入力設定手段（図示せず）から入力して行い、その入力情報を基に表示手段（図示せず）で表示して使用者に知らせる。
【００３４】
そして、操作表示部２３の内方に制御手段１５が配設されており、制御手段１５は、モータ８、給水弁１０、洗剤投入装置１１、排水弁１４などの動作を制御し、洗い、すすぎ、脱水などの各行程を逐次制御する。
【００３５】
また、水槽３の内底部には、水槽３内の水を温めるためのヒータ１６が配設されている。
【００３６】
以上のように構成された洗濯機について、以下、その動作、作用を説明する。
【００３７】
図２は、本発明の第１の実施の形態の洗濯機の動作を示すフローチャート、図３は、洗い攪拌の時間と洗濯物の不汚染度との関係を示す模式図である。
【００３８】
図２において、蓋２２を開き、衣類投入口２１から洗濯兼脱水槽４内に洗濯物を投入（ステップＳ１）した後、操作表示部２３の入力設定手段（図示せず）にて電源スイッチ（図示せず）をオンし、スタートスイッチ（図示せず）を操作して運転をスタート（ステップＳ２）すると、短時間だけパルセータ６が回転して布量検知手段（図示せず）で乾いた洗濯物の布量を検知（ステップＳ３）し、検知された布量は制御手段１５に入力される。
【００３９】
布量が検知されると、表示手段（図示せず）に布量に応じた水位と洗剤量が表示される（ステップＳ４）。
【００４０】
そして、第１の洗い行程が始まると、給水弁１０の一方の弁が動作して給水が開始される（ステップＳ５）。
【００４１】
ステップＳ５での給水は、第１の給水経路１２を介して洗濯兼脱水槽４内に、検知した布量に応じた水位まで給水され、給水後に所定時間だけ洗い攪拌が行われる（ステップＳ６）。第１の洗い行程においては、洗剤は投入されず、水のみで洗い攪拌が行われる。
【００４２】
図３における「除去作用を受けた洗濯物」は、洗濯物の元々汚れていた部分における、水による汚れの除去作用のみの影響による不汚染度の変化を示している（破線）。図３における「再付着作用を受けた洗濯物」は、洗濯物の元々汚れが付着していない部分における、洗濯液中の汚れが再付着する再付着作用のみの影響による不汚染度の変化を示している（一点鎖線）。図３に示すように、汚れの除去作用は、洗い攪拌の時間が長くなるにつれて洗濯物の不汚染度を上昇させ、汚れの再付着作用は、洗い攪拌の時間が長くなるにつれて洗濯物の不汚染を減少させる。なお、本実施の形態では、洗濯物の不汚染度を洗濯物に汚れがついていない度合いと定義している。
【００４３】
図３における「実際の洗濯物」は、洗濯物の元々汚れていた部分における、実際に起こりうる不汚染度の変化を示している（実線）。「実際の洗濯物」は、洗い攪拌の時間の初期において「除去作用を受けた洗濯物」と類似の挙動を示す。「実際の洗濯物」は、洗い攪拌の時間が８分を超えると洗濯液中の汚れが再付着する再付着作用の影響を受け始め、不汚染度の上昇が緩やかになる。更に、「実際の洗濯物」は、洗い攪拌の時間が１２分を超えると、再付着作用の影響を強く受けて不汚染度がほぼ上昇しなくなる。
【００４４】
以上の要因を踏まえ、第１の洗い工程における洗い攪拌の時間は、８分から１２分に設定される。これにより、洗濯液中の汚れが再付着する再付着作用の影響が大きくならない内に、水による汚れの除去作用を活かして洗い攪拌を行うことができるため、洗浄効果を高めることができる。
【００４５】
洗い攪拌が終了すると、排水弁１４が開いて排水が行われる（ステップＳ７）。
【００４６】
次に、第２の洗い行程が始まるが、まず給水弁１０の他方の弁が動作して、第２の給水経路１３を介して給水が開始される（ステップＳ８）。
【００４７】
この時、洗剤投入装置１１の洗剤ポンプ（図示せず）も駆動して、水位に応じた洗剤量が第２の給水経路１３上に供給され、所定の水位まで給水される水と共に洗濯兼脱水槽４内に投入される（ステップＳ９）。給水後に、洗剤がある状態で、所定時間だけ洗い攪拌が行われる（ステップＳ１０）。第２の洗い工程では、第１の洗い工程後の排水により洗濯液中の汚れが十分に除去されたため、汚れの再付着が発生しづらい上に、洗濯液は通常の使用時と同等の洗剤濃度を有している。そこで、第２の洗い行程における洗い攪拌の時間は、第１の洗い行程における洗い攪拌の時間よりも長くなるように設定し、洗浄効果を高めている。
【００４８】
洗い攪拌が終了すると、排水弁１４が開いて排水が行われた（ステップＳ１１）後に、モータ８が駆動して洗濯兼脱水槽４が回転し、中間脱水が行われる（ステップ１２）。
【００４９】
中間脱水が終わると、すすぎ攪拌行程（ステップ１３）が行われて、次行程へと移行する。
【００５０】
このように、洗い行程を、第１の洗い行程、つまり、水のみで洗う行程と、第２の洗い行程、つまり、洗剤液で洗う行程の二回に分けて行うことで、第１の洗い行程で汚れた衣類についた汚れを予め落としておくことができ、第２の洗い行程において、汚れの少ない状態で洗いを行うことができるため、洗剤を効果的に利用することができ、洗浄効果を高めることができる。
【００５１】
以上のように、本実施の形態においては、洗い行程において、給水弁１０を駆動して、第１の給水経路１２から洗濯物を投入した洗濯兼脱水槽４内に給水し、水のみで洗い攪拌を行う第１の洗い行程を行った後に、給水弁１０と洗剤投入装置１１を駆動して、第２の給水経路１３から洗濯兼脱水槽４内に水と洗剤を供給して洗い攪拌を行う第２の洗い行程を行う構成とすることにより、洗濯物の中にしつこい汚れが付着した洗濯物が混ざっていても、確実に汚れを落としてしまい、洗浄性能を大きく向上させることができる。
（実施の形態２）
図４は、本発明の第２の実施の形態の洗濯機の動作を示すフローチャートである。
【００５２】
図４において、ステップＳ１からステップＳ７、および、Ｓ１１からＳ１３は、図２の第１の実施の形態と同じであり、説明を省略する。
【００５３】
第２の洗い行程が始まると、まず給水弁１０の他方の弁が動作して、第２の給水経路１３を介して給水が開始される（ステップＳ２０）。
【００５４】
この時、洗剤投入装置１１の洗剤ポンプ（図示せず）も駆動して、水位に応じた洗剤量が第２の給水経路１３上に供給され、所定の水位まで給水される水と共に洗濯兼脱水槽４内に投入される（ステップＳ２１）。そして、給水後に、水槽３の内底部に設けられたヒータ１６に通電され、水槽３内の水と投入された洗剤液が加熱される（ステップＳ２２）。
【００５５】
水槽３内が所定の温度になると、所定時間だけ洗い攪拌が行われ（ステップＳ２３）、次へと移行する。
【００５６】
一般に、洗濯液が高温の場合、洗濯液中の汚れが衣類に付着しやすいことが知られてい
る。第２の洗い工程では、第１の洗い工程の効果により洗濯液中の汚れ成分は十分に少なくなっているため、汚れが衣類に再付着することを抑制できる。さらに、第２の洗い行程における洗い攪拌の時間は、第１の洗い行程における洗い攪拌の時間よりも長くなるように設定されているため、洗浄効果がより高い。
【００５７】
このように、洗い行程を、第１の洗い行程、つまり、水のみで洗う行程と、第２の洗い行程、つまり、洗剤液で洗う行程の二回に分けて行うとともに、第２の洗い行程の洗剤液を加熱して行うことにより、第１の洗い行程で汚れた衣類についた汚れを予め落としておくことができ、第２の洗い行程において、さらに洗剤を効果的に利用することができ、洗浄効果を大きく高めることができる。
【００５８】
以上のように、本実施の形態においては、洗い行程において、給水弁１０を駆動して、第１の給水経路１２から洗濯物を投入した洗濯兼脱水槽４内に給水し、水のみで洗い攪拌を行う第１の洗い行程を行った後に、給水弁１０と洗剤投入装置１１を駆動して第２の給水経路１３から洗濯兼脱水槽４内に供給した水と洗剤の混合液をヒータ１６で加熱し、混合液が所定温度に到達後に洗い攪拌を行う第２の洗い行程を行う構成とすることにより、洗濯物にしつこい汚れが付着した衣類が混ざっていても、確実に汚れを落としてしまい、洗浄性能をさらに大きく向上させることができる。
【産業上の利用可能性】
【００５９】
以上のように、本発明にかかる洗濯機は、洗濯物についた汚れを効果的に落とすことが実現できるので、ドラム式など他の洗濯機の用途に適用できる。
【符号の説明】
【００６０】
１  本体
３  水槽
４  洗濯兼脱水槽
６  パルセータ
８  モータ
１０  給水弁
１１  洗剤投入装置
１２  第１の給水経路
１３  第２の給水経路
１５  制御手段
１６  ヒータ
２０  上部枠体
【図１】
2020168345.tif 000003
【図２】
2020168345.tif 000004
【図３】
2020168345.tif 000005
【図４】
2020168345.tif 000006
【図５】
2020168345.tif 000007